(57)【要約】【課題】  検査項目が異なる健診を複数受診した場合であっても、過去の健診結果との比較が可能なように健診結果を出力すること【解決手段】  健診コースと当該健診コースが属する健診コースグループとを対応づけて記憶し、受診者についての今回と過去の健診結果を健診コースと対応付けて記憶する情報処理装置であって、今回の健診結果と、前記記憶手段に記憶された過去の健診結果のうち今回の健診コースが属する健診コースグループと同一の健診コースグループに属する健診コースの健診結果とを含む健診結果票データを生成し、当該生成された健診結果票データを印刷すべく出力する。【選択図】  図１
2014048939.tif 000002
【特許請求の範囲】
【請求項１】
健診コースと当該健診コースが属する健診コースグループとを対応づけて記憶し、受診者についての今回と過去の健診結果を健診コースと対応付けて記憶する記憶手段と、
今回の健診結果と、前記記憶手段に記憶された過去の健診結果のうち今回の健診コースが属する健診コースグループと同一の健診コースグループに属する健診コースの健診結果とを含む健診結果票データを生成する生成手段と、
前記生成手段により生成された健診結果票データを印刷すべく出力する出力手段と、
を備えることを特徴とする情報処理装置。
【請求項２】
前記生成手段は、さらに、今回の健診結果と、前記記憶手段に記憶された過去の健診結果のうち今回の健診コースが属する健診コースグループと同一の健診コースグループに属する健診コースの健診結果のうち、今回の健診コースの検査項目と同一の検査項目を含む健診コースの健診結果にかかる健診結果票データを生成することを特徴とする請求項１に記載の情報処理装置。
【請求項３】
健診コースと当該健診コースが属する健診コースグループとを対応づけて記憶し、受診者についての今回と過去の健診結果を健診コースと対応付けて記憶する情報処理装置における情報処理方法であって、
前記情報処理装置の生成手段が、今回の健診結果と、前記記憶された過去の健診結果のうち今回の健診コースが属する健診コースグループと同一の健診コースグループに属する健診コースの健診結果とを含む健診結果票データを生成する生成工程と、
前記情報処理装置の出力手段が、前記生成工程により生成された健診結果票データを印刷すべく出力する出力工程と、
を備えることを特徴とする情報処理方法。
【請求項４】
健診コースと当該健診コースが属する健診コースグループとを対応づけて記憶し、受診者についての今回と過去の健診結果を健診コースと対応付けて記憶する情報処理装置における実行可能なプログラムであって、
前記情報処理装置を、
今回の健診結果と、前記記憶された過去の健診結果のうち今回の健診コースが属する健診コースグループと同一の健診コースグループに属する健診コースの健診結果とを含む健診結果票データを生成する生成手段と、
前記生成手段により生成された健診結果票データを印刷すべく出力する出力手段として機能させることを特徴とするプログラム。
【発明の詳細な説明】
【技術分野】
【０００１】
本発明は、健康診断の結果の出力制御技術に関する。
【背景技術】
【０００２】
従来から、学校や会社では、定期的な健康診断が行われ、学生や社員がこの定期的な健康診断を受診している。
【０００３】
健康診断を受診すると、その結果が帳票（健診結果票）に印刷され、受診者に送付される。この帳票には、今回の結果だけでなく、過去に受診した際の結果についても印刷され、健診結果の変化を把握できるようになっている。
【０００４】
特許文献１では、過去の健診結果と今回の健診結果とを合わせて印刷する技術が開示されている。
【先行技術文献】
【特許文献】
【０００５】
【特許文献１】特開平５−１８１８７９号公報
【発明の開示】
【発明が解決しようとする課題】
【０００６】
上述した定期的な健康診断で再検査となった健診項目については、後日あらためて医療機関において検査を受けることとなる。また、定期的な健康診断とは別に、がん検診や人間ドックなどの検査を受診することも多い。
【０００７】
このような場合、特許文献１に記載されているように、単に時系列に従って過去の健診結果やがん検診、人間ドックの結果を印刷すると、不都合が生じることがある。
【０００８】
具体的には、定期健康診断は、がん検診や人間ドックなどとは検査項目が異なることから、過去の健診結果との比較ができなくなってしまうという不都合が生じる。例えば定期健康診断、人間ドック、がん検診、定期健康診断という順番で検査を受けた場合、過去３回分の検査結果を印刷する場合は、「人間ドック、がん検診、定期健康診断」の３回分のみが印刷対象となる。
【０００９】
この場合、前回の定期健康診断の結果は印刷されないため、今回の定期健康診断の結果と、前回の定期健康診断の結果とを比較して閲覧することができない。
【００１０】
すなわち、検査項目がそれぞれ異なる検査（人間ドック、がん検診、定期健康診断）の結果が印刷されるだけであり、同じ検査項目を含む検査の結果は印刷されないこととなる。
【００１１】
よって、受診者は前回の結果を知ることができず、健診結果の変化を把握することができなくなってしまう。
【００１２】
そこで、本発明は、上述の課題を解決するために、過去の結果と比較可能なように健診結果を出力する仕組みを提供することを目的とする。
【課題を解決するための手段】
【００１３】
本発明は、健診コースと当該健診コースが属する健診コースグループとを対応づけて記憶し、受診者についての今回と過去の健診結果を健診コースと対応付けて記憶する記憶手段と、今回の健診結果と、前記記憶手段に記憶された過去の健診結果のうち今回の健診コースが属する健診コースグループと同一の健診コースグループに属する健診コースの健診結果とを含む健診結果票データを生成する生成手段と、前記生成手段により生成された健診結果票データを印刷すべく出力する出力手段と、を備えることを特徴とする。
【００１４】
また、本発明は、健診コースと当該健診コースが属する健診コースグループとを対応づけて記憶し、受診者についての今回と過去の健診結果を健診コースと対応付けて記憶する情報処理装置における情報処理方法であって、前記情報処理装置の生成手段が、今回の健診結果と、前記記憶された過去の健診結果のうち今回の健診コースが属する健診コースグループと同一の健診コースグループに属する健診コースの健診結果とを含む健診結果票データを生成する生成工程と、前記情報処理装置の出力手段が、前記生成工程により生成された健診結果票データを印刷すべく出力する出力工程と、を備えることを特徴とする。
【００１５】
また、本発明は、健診コースと当該健診コースが属する健診コースグループとを対応づけて記憶し、受診者についての今回と過去の健診結果を健診コースと対応付けて記憶する情報処理装置における実行可能なプログラムであって、前記情報処理装置を、今回の健診結果と、前記記憶された過去の健診結果のうち今回の健診コースが属する健診コースグループと同一の健診コースグループに属する健診コースの健診結果とを含む健診結果票データを生成する生成手段と、前記生成手段により生成された健診結果票データを印刷すべく出力する出力手段として機能させることを特徴とする。
【発明の効果】
【００１６】
本発明によれば、過去の結果と比較可能なように健診結果を出力することが可能となる。
【図面の簡単な説明】
【００１７】
【図１】本発明の情報処理システムの構成の一例を示す図である
【図２】図１の情報処理装置１０１のハードウエア構成の一例を示す図である
【図３】健診情報登録画面の一例を示す図である
【図４】健診コース情報登録画面の一例を示す図である
【図５】帳票種別情報登録画面の一例を示す図である
【図６】健診情報登録処理を示すフローチャートである
【図７】健診コース情報登録処理を示すフローチャートである
【図８】帳票種別情報登録処理を示すフローチャートである
【図９】帳票印刷処理を示すフローチャートである
【図１０】健診情報が登録されたデータベースの一例を示す図である
【図１１】健診コース情報が登録されたデータベースの一例を示す図である
【図１２】帳票種別情報が登録されたデータベースの一例を示す図である
【図１３】印刷される健診結果票の一例を示す図である
【発明を実施するための形態】
【００１８】
以下、図面を参照して本発明の実施形態を詳細に説明する。
【００１９】
図１は、本発明に係る情報処理システムのシステム構成の一例を示す図である。
【００２０】
図１に示すように、本実施形態に係る情報処理システムは、情報処理装置１０１と画像形成装置１０２とが通信可能に接続されている。
【００２１】
以下、図２を用いて、図１に示した情報処理装置１０１のハードウエア構成の一例について説明する。
【００２２】
図２において、２０１はＣＰＵで、システムバス２０４に接続される各デバイスやコントローラを統括的に制御する。また、ＲＯＭ２０３あるいは外部メモリ２１１には、ＣＰＵ２０１の制御プログラムであるＢＩＯＳ（Ｂａｓｉｃ  Ｉｎｐｕｔ  ／  Ｏｕｔｐｕｔ  Ｓｙｓｔｅｍ）やオペレーティングシステムプログラム（以下、ＯＳ）や、各サーバ或いは各ＰＣの実行する機能を実現するために必要な各種プログラム等が記憶されている。
【００２３】
２０２はＲＡＭで、ＣＰＵ２０１の主メモリ、ワークエリア等として機能する。ＣＰＵ２０１は、処理の実行に際して必要なプログラム等をＲＯＭ２０３あるいは外部メモリ２１１からＲＡＭ２０２にロードして、該ロードしたプログラムを実行することで各種動作を実現するものである。
【００２４】
また、２０５は入力コントローラで、入力装置２０９等からの入力を制御する。２０６はビデオコントローラで、液晶ディスプレイ等のディスプレイ装置２１０への表示を制御する。なお、ディスプレイ装置は、液晶ディスプレイに限られず、ＣＲＴディスプレイなどであっても良い。これらは必要に応じてクライアントが使用するものである。
【００２５】
２０７はメモリコントローラで、ブートプログラム，各種のアプリケーション，フォントデータ，ユーザファイル，編集ファイル，各種データ等を記憶するハードディスク（ＨＤ）や、フレキシブルディスク（ＦＤ）、或いはＰＣＭＣＩＡカードスロットにアダプタを介して接続されるコンパクトフラッシュ（登録商標）メモリ等の外部メモリ２１１へのアクセスを制御する。
【００２６】
２０８は通信Ｉ／Ｆコントローラで、ネットワーク（例えば、図１に示したＬＡＮ４００）を介して外部機器と接続・通信するものであり、ネットワークでの通信制御処理を実行する。例えば、ＴＣＰ／ＩＰを用いた通信等が可能である。
【００２７】
なお、ＣＰＵ２０１は、例えばＲＡＭ２０２内の表示情報用領域へアウトラインフォントの展開（ラスタライズ）処理を実行することにより、ディスプレイ装置２１０上での表示を可能としている。また、ＣＰＵ２０１は、ディスプレイ装置２１０上の不図示のマウスカーソル等でのユーザ指示を可能とする。
【００２８】
ハードウエア上で動作する各種プログラムは、外部メモリ２１１に記録されており、必要に応じてＲＡＭ２０２にロードされることによりＣＰＵ２０１によって実行されるものである。
【００２９】
なお、全ての装置がこれらの構成を備えているわけではなく、必要なものを夫々備えていればよい。
【００３０】
次に、図６を用いて、本発明の実施形態において情報処理装置１０１が行う健診情報を健診情報ＤＢ（図１０）に登録する処理について説明する。
【００３１】
なお、図６のフローチャートで示す処理については、情報処理装置１０１のＣＰＵ２０１が所定の制御プログラムを読み出して実行する処理である。
【００３２】
ステップＳ６０１では、情報処理装置１０１のＣＰＵ２０１は、健診情報登録画面を表示部に表示する。
【００３３】
健診情報登録画面の一例を図３に示す。図３に示す健診情報登録画面は、ユーザから健診者番号３０１、健診者氏名３０２、会社番号３０３、会社名３０４、健診日３０５、健診コース３０６、健診結果３０７等の入力を受け付ける画面である。
【００３４】
ユーザから各項目についてデータの入力を受け付け、新規ボタン３０８が押下されると、処理をステップＳ６０２に移行する。
【００３５】
ステップＳ６０２では、情報処理装置１０１のＣＰＵ２０１は、図３の画面を介して受け付けた情報を健診情報ＤＢ（図１０）に登録する。
【００３６】
図１０は、株式会社Ａの健診者番号１の健診者が、２０１２年４月１日に定期健診（健診コース番号１０）を受診したときの結果が登録されている。
【００３７】
また、株式会社Ｂの健診者番号１の健診者が、２０１１年４月１日にがん健診（健診コース番号２０）を受診したときの結果、株式会社Ｃの健診者番号１の健診者が、２０１０年４月１日に定期健診（健診コース番号１０）を受診したときの結果がそれぞれ登録されている。
【００３８】
次に、図７を用いて、本発明の実施形態において情報処理装置１０１が行う健診コース情報登録処理について説明する。
【００３９】
なお、図７のフローチャートで示す処理については、情報処理装置１０１のＣＰＵ２０１が所定の制御プログラムを読み出して実行する処理である。
【００４０】
ステップＳ７０１では、情報処理装置１０１のＣＰＵ２０１は、健診コース情報登録画面を表示部に表示する。
【００４１】
健診コース情報登録画面の一例を図４に示す。図４に示す健診コース情報登録画面は、健診コースグループ識別番号４０１、健診コースグループ４０２、健診コース番号４０３、健診コース名４０４等の入力をユーザから受け付ける画面である。
【００４２】
ユーザから各項目のデータの入力を受け付け、新規ボタン４０５の押下を受け付けると、処理をステップＳ７０２に移行する。
【００４３】
ステップＳ７０２では、情報処理装置１０１のＣＰＵ２０１は、図４の画面を介して入力されたデータを健診コース情報ＤＢ（図１１）に登録する。
【００４４】
図１１は、健診コースグループ識別番号、健診コースグループ名、健診コース番号、健診コース名、検査項目がそれぞれ対応づけて登録されている。
【００４５】
図１１の例では、健診コースグループ名「一般健診（識別番号１００）」には、定期健診（コース番号１０）および人間ドック（コース番号２０）が登録されている。また、グループ名「がん検診（識別番号２００）」には、肺がん検診（コース番号３０）が登録されている。
【００４６】
このように、いずれの健診コースグループにいずれの健診コースが含まれ、当該健診コースにはいずれの検査項目があるのかが登録されている。
【００４７】
次に図８を用いて、本発明の実施形態において情報処理装置１０１が行う帳票種別情報登録処理について説明する。
【００４８】
なお、図８のフローチャートで示す処理については、情報処理装置１０１のＣＰＵ２０１が所定の制御プログラムを読み出して行う処理である。
【００４９】
ステップＳ８０１では、情報処理装置１０１のＣＰＵ２０１は、帳票種別情報登録画面（図５）を表示部に表示する。
【００５０】
帳票種別登録画面の一例を図５に示す。図５に示す帳票種別登録画面は、帳票種別識別番号５０１、帳票種別名５０２、コース制限フラグ５０３、検査項目制限フラグ５０４等の入力をユーザから受け付ける画面である。
【００５１】
ユーザから各項目のデータの入力を受け付け、新規ボタン５０５の押下を受け付けると、処理をステップＳ８０２に移行する。
【００５２】
ステップＳ８０２では、情報処理装置１０１のＣＰＵ２０１は、ステップＳ８０１で図５の画面を介してユーザから入力された帳票種別情報を帳票種別情報ＤＢ（図１２）に登録する。
【００５３】
図１２の例では、帳票種別「一般健診」（識別番号１０）については、コース制限フラグＴＲＵＥであり、検査項目制限フラグＦＡＬＳＥであることを示している。また、帳票種別「がん検診」（識別番号２０）については、コース制限フラグＴＲＵＥであり、検査項目制限フラグＦＡＬＳＥであることを示している。
【００５４】
コース制限フラグとは、コース制限フラグがＴＲＵＥの場合は、同一のコースグループに含まれる健診コースの健診結果についてのみ、同一の帳票に印刷する。すなわち、異なるコースグループに属する健診コースの健診結果については、同一の帳票には印刷されない。
【００５５】
検査項目制限フラグとは、検査項目制限フラグがＴＲＵＥの場合には、今回の健診で検査した項目と同一の項目の過去の結果について、同一の帳票に印刷されることになる。すなわち、今回の健診では検査していない項目については、過去の結果についても印刷されないこととなる。
【００５６】
次に、図９を用いて、本発明の実施形態において情報処理装置１０１が行う健診結果の印刷制御処理について説明する。
【００５７】
なお、図９のフローチャートで示す処理については、情報処理装置１０１のＣＰＵ２０１が所定の制御プログラムを読み出して実行する処理である。
【００５８】
ステップＳ９０１では、情報処理装置１０１のＣＰＵ２０１は、印刷対象となる健診結果を特定するため、健診者番号の入力を受け付ける。
【００５９】
ステップＳ９０２では、情報処理装置１０１のＣＰＵ２０１は、さらに絞り込みをするため、健診日の入力を受け付ける。
【００６０】
ステップＳ９０３では、情報処理装置１０１のＣＰＵ２０１は、
【００６１】
ステップＳ９０４では、情報処理装置１０１のＣＰＵ２０１は、ステップＳ９０１とステップＳ９０２で入力を受け付けた健診者番号と健診日とをキーとして、健診情報ＤＢを検索する。そして、検索された健診情報にかかる健診結果情報を印刷すべく、印刷データを作成する。
【００６２】
ステップＳ９０５では、情報処理装置１０１のＣＰＵ２０１は、ステップＳ９０４で検索されたレコードの健診コース番号を取得する。そして、取得した健診コース番号をキーとして、健診コース情報ＤＢを検索し、当該健診コース番号により検索されたレコードの健診コースグループ識別番号を取得する。
【００６３】
ステップＳ９０６では、情報処理装置１０１のＣＰＵ２０１は、ステップＳ９０３で入力を受け付けた帳票種別番号をキーとして、帳票種別情報ＤＢを検索する。そして、検索された帳票情報のコース制限フラグと検査制限フラグとを取得する。
【００６４】
ステップＳ９０７では、情報処理装置１０１のＣＰＵ２０１は、健診情報ＤＢから、ステップＳ９０１で入力された健診番号の健診者の健診結果であって、健診日がＮ回前（前回）のデータが存在するか否かを判断する。すなわち、当該健診者の過去の健診結果の有無を判断する。
【００６５】
過去の健診結果があると判断された場合（ステップＳ９０７：ＹＥＳ）は、処理をステップＳ９０８に移行する。
【００６６】
過去の健診結果がないと判断された場合（ステップＳ９０７：ＮＯ）は、処理をステップＳ９１４に移行する。
【００６７】
ステップＳ９０８では、情報処理装置１０１のＣＰＵ２０１は、ステップＳ９０７であると判断された過去の健診結果の健診コースグループ識別番号と検査項目とを取得する。
【００６８】
健診コースグループ識別番号は、健診情報ＤＢの健診コース番号をキーとして、健診コース情報ＤＢを検索することで取得する。
【００６９】
ステップＳ９０９では、情報処理装置１０１のＣＰＵ２０１は、ステップＳ９０６で取得したコース制限フラグに基づき、ステップＳ９０４で作成された印刷データにかかる帳票が、コース制限対象の帳票であるか否かを判断する。
【００７０】
コース制限対象の帳票とは、過去の健診結果のうち、今回の健診結果と同一のコースグループに含まれる健診コースの健診結果についてのみ、今回の健診結果と一緒に印刷する帳票を意味する。
【００７１】
コース制限対象の帳票である場合（ステップＳ９０９：ＹＥＳ、コース制限フラグ：ＴＲＵＥ）は、処理をステップＳ９１０に移行する。
【００７２】
コース制限対象の帳票ではない場合（ステップＳ９０９：ＮＯ、コース制限フラグ：ＦＡＬＳＥ）は、処理をステップＳ９１１に移行する。
【００７３】
ステップＳ９１０では、情報処理装置１０１のＣＰＵ２０１は、今回の印刷対象の健診情報にかかる健診コースグループ識別番号と、Ｎ回前の健診情報にかかる健診コースグループ識別番号が同一であるか否かを判断する。
【００７４】
同一である場合（ステップＳ９１０：ＹＥＳ）は、処理をステップＳ９１１に移行する。
【００７５】
同一ではない、すなわち、今回とＮ回前とが異なる健診コースグループの健診である場合（ステップＳ９１０：ＮＯ）は、処理をステップＳ９０７に戻す。ステップＳ９０７では、さらにＮ回前の前の回の健診情報の有無を判断する。このように、順次過去にさかのぼって健診情報の有無を判断する。
【００７６】
ステップＳ９１１では、情報処理装置１０１のＣＰＵ２０１は、ステップＳ９０６で取得した検査項目制限フラグに基づき、ステップＳ９０４で作成された印刷データにかかる帳票が、検査項目制限対象の帳票であるか否かを判断する。
【００７７】
検査項目制限対象の帳票とは、過去の健診結果のうち、今回の健診で検査した項目と同一の項目の過去の結果についてのみ、一緒に印刷をする帳票を意味する。
【００７８】
すなわち、今回の健診では検査していない項目については、一緒に印刷されず、今回の健診で検査した項目のみが一緒に印刷されることとなる。
【００７９】
検査項目制限対象の帳票である場合（ステップＳ９１１：ＹＥＳ）は、処理をステップＳ９１２に移行する。
【００８０】
検査項目制限対象の帳票ではない場合（ステップＳ９１１：ＮＯ）は、処理をステップＳ９１３に移行する。
【００８１】
ステップＳ９１２では、情報処理装置１０１のＣＰＵ２０１は、Ｎ回前の監査項目が今回の検査項目に含まれるか否かを判断する。すなわち、今回の健診の検査項目と同じ検査を、Ｎ回前の健診で検査しているか否かを判断する。
【００８２】
含まれる（Ｎ回前の健診でも同じ検査項目を検査している）場合（ステップＳ９１２：ＹＥＳ）は、処理をステップＳ９１３に移行する。
【００８３】
含まれない（Ｎ回前の健診では、今回の検査項目と同じ検査を受けていない）場合（ステップＳ９１２：ＮＯ）は、処理をステップＳ９０７に戻す。ステップＳ９０７では、上述の通り、さらに遡って過去の健診情報の有無を判断する。
【００８４】
ステップＳ９１３では、情報処理装置１０１のＣＰＵ２０１は、Ｎ回前の印刷データ（健診結果票データ）を作成する。そして、処理をステップＳ９０７に戻し、上述のとおり、さらに遡って過去の健診情報の有無を判断する。
【００８５】
ステップＳ９１４では、情報処理装置１０１のＣＰＵ２０１は、ステップＳ９０４およびステップＳ９１３で作成された印刷データを印刷する。
【００８６】
図１３は、ステップＳ９１４で印刷される帳票の一例を示した図である。図１３の例は、同一の健診コースグループに属する健診を２０１２年４月１日、２０１１年４月１日、２０１０年４月１日の３回受診し、さらにそれぞれ異なる健診コースグループに属する健診を、２０１１年１２月１０日、２０１１年８月２０日、２０１１年６月１５日、２０１１年５月５日に受診した場合に印刷される帳票の一例を示している。
【００８７】
図１３Ａは、過去の健診結果の全て（全ての健診コースの健診結果）を印刷した場合の例を示している。
【００８８】
図１３Ａの例では、今回の健診である２０１２年４月１日の健診の検査項目（身長、体重、ＢＭＩ）について、過去の結果が表示されず、過去の結果との比較をすることができない。
【００８９】
すなわち、同一の健診コースグループに属する健診については、２０１０年４月１日、２０１１年４月１日、２０１２年４月１日の３回受診しているが、２０１１年４月１日から２０１２年４月１日までの間に、異なる健診コースグループの健診を受診している。そのため、当該異なる健診コースグループの健診結果も全て表示される結果、今回（２０１２年４月１日）の健診と同一の健診コースグループの健診の結果が表示できていないことを表している。
【００９０】
これに対して図１３Ｂは、同一の健診コースグループの健診コースの結果のみを表示した場合の例を示している。
【００９１】
この場合、２０１１年１２月１０日、２０１１年８月２０日、２０１１年６月１５日、２０１１年５月５日に受診した健診については、今回の健診とは異なる健診コースグループに属するため、印刷されない。その結果、今回の健診と同一の健診コースグループに属する健診の結果だけが印刷されることになるため、過去の健診結果についても印刷され、過去の結果との比較が可能に印刷される。
【００９２】
以上説明したように、本発明によれば、過去の複数種類の健診を受診した場合であっても、図１３Ｂのように、今回の健診の結果と過去の健診の結果とを比較可能に出力することが可能となる。
【００９３】
なお、上述した各種データの構成及びその内容はこれに限定されるものではなく、用途や目的に応じて、様々な構成や内容で構成されることは言うまでもない。
【００９４】
また、本発明におけるプログラムは、図６〜図９の処理方法をコンピュータが実行可能なプログラムである。なお、本発明におけるプログラムは図６〜図９の各装置の処理方法ごとのプログラムであってもよい。
【００９５】
以上のように、前述した実施形態の機能を実現するプログラムを記録した記録媒体を、システムあるいは装置に供給し、そのシステムあるいは装置のコンピュータ（またはＣＰＵやＭＰＵ）が記録媒体に格納されたプログラムを読み出し、実行することによっても本発明の目的が達成されることは言うまでもない。
【００９６】
この場合、記録媒体から読み出されたプログラム自体が本発明の新規な機能を実現することになり、そのプログラムを記録した記録媒体は本発明を構成することになる。
【００９７】
プログラムを供給するための記録媒体としては、例えば、フレキシブルディスク、ハードディスク、光ディスク、光磁気ディスク、ＣＤ−ＲＯＭ、ＣＤ−Ｒ、ＤＶＤ−ＲＯＭ、磁気テープ、不揮発性のメモリカード、ＲＯＭ、ＥＥＰＲＯＭ、シリコンディスク等を用いることが出来る。
【００９８】
また、コンピュータが読み出したプログラムを実行することにより、前述した実施形態の機能が実現されるだけでなく、そのプログラムの指示に基づき、コンピュータ上で稼働しているＯＳ（オペレーティングシステム）等が実際の処理の一部または全部を行い、その処理によって前述した実施形態の機能が実現される場合も含まれることは言うまでもない。
【００９９】
さらに、記録媒体から読み出されたプログラムが、コンピュータに挿入された機能拡張ボードやコンピュータに接続された機能拡張ユニットに備わるメモリに書き込まれた後、そのプログラムコードの指示に基づき、その機能拡張ボードや機能拡張ユニットに備わるＣＰＵ等が実際の処理の一部または全部を行い、その処理によって前述した実施形態の機能が実現される場合も含まれることは言うまでもない。
【０１００】
また、本発明は、複数の機器から構成されるシステムに適用しても、ひとつの機器から成る装置に適用しても良い。また、本発明は、システムあるいは装置にプログラムを供給することによって達成される場合にも適応できることは言うまでもない。この場合、本発明を達成するためのプログラムを格納した記録媒体を該システムあるいは装置に読み出すことによって、そのシステムあるいは装置が、本発明の効果を享受することが可能となる。
【０１０１】
さらに、本発明を達成するためのプログラムをネットワーク上のサーバ、データベース等から通信プログラムによりダウンロードして読み出すことによって、そのシステムあるいは装置が、本発明の効果を享受することが可能となる。なお、上述した各実施形態およびその変形例を組み合わせた構成も全て本発明に含まれるものである。
【符号の説明】
【０１０２】
１０１  情報処理装置
１０２  画像形成装置
１０３  ＬＡＮ
【図１】
2014048939.tif 000003
【図２】
2014048939.tif 000004
【図３】
2014048939.tif 000005
【図４】
2014048939.tif 000006
【図５】
2014048939.tif 000007
【図６】
2014048939.tif 000008
【図７】
2014048939.tif 000009
【図８】
2014048939.tif 000010
【図９】
2014048939.tif 000011
【図１０】
2014048939.tif 000012
【図１１】
2014048939.tif 000013
【図１２】
2014048939.tif 000014
【図１３】
2014048939.tif 000015